(57)【要約】【課題】写真プリント費用を広告主が少なくても一部負担することができるとともに、ロゴマーク又はＣＩマークである画像データあるいは上記画像データ以外のデータからなる広告を付加する広告付加装置並びに広告付加方法並びに広告付き画像。【解決手段】  広告主が提供する広告がロゴマーク又はＣＩマークのみの画像データの場合は画像の中に挿入し、あるいは上記画像データを含むその他の画像データからなる広告の場合は前記画像の外に配置する広告付加装置並びに広告付加方法並びに広告付き画像。 【選択図】  図１
2008014978.tif 000002
【特許請求の範囲】
【請求項１】
撮影者によって撮影された写真を含む画像に、広告を付加する広告付加装置で前記広告が企業名・団体名又は商標名又は商品名または愛称などデザイン文字を用いて図案化したロゴマーク又はＣＩマークのみである画像データである状態を第１の状態とし、前記画像データを含むその他の画像及びテキストデータである状態を第２の状態とし、前記画像データを含まない画像及びテキストデータである状態を第３の状態とし、前記広告が前記第１の状態であると判別した場合は、前記画像の中に前記広告を挿入するように制御し、前記広告が前記第２の状態及び前記第３の状態であると判別した場合は前記画像の外に前記広告を配置するように制御する制御手段を備えた広告付加装置。
【請求項２】
撮影者によって撮影された写真を含む画像に、広告を付加する広告付加方法で、前記広告が企業名・団体名又は商標名又は商品名または愛称などデザイン文字を用いて図案化したロゴマーク又はＣＩマークのみである画像データである状態を第１の状態とし、前記画像データを含むその他の画像及びテキストテキストデータである状態を第２の状態とし、前記画像データを含まない画像及びテキストデータである状態を第３の状態からなる広告を付加する広告付加方法で、前記広告が前記第１の状態であるか、前記第２の状態であるか、前記第３の状態であるかを判別するステップと、前記広告が前記第１の状態であると判別した場合は前記広告を画像の中に挿入するステップと、前記広告が前記第２の状態及び前記第３の状態であると判別した場合は前記広告を前記画像の外に配置するステップと、を有する広告を画像に付加する広告付加方法。
【請求項３】
撮影者によって撮影された写真を含む画像に広告が付加される広告付き画像で、前記広告が企業名・団体名又は商標名又は商品名または愛称などデザイン文字を用いて図案化したロゴマーク又はＣＩマークのみである画像データである状態を第１の状態とし、前記画像データを含むその他の画像及びテキストデータである状態を第の２状態とし、前記画像データを含まない画像及びテキストデータである状態を第３の状態とし、前記広告が前記第１の状態である場合は、画像の中に前記広告が挿入され、前記広告が前記第２の状態及び前記第３の状態である場合は、前記広告を前記画像の外に配置する制御手段により制御された広告付写真。
【発明の詳細な説明】
【技術分野】
【０００１】
本発明は、写真を含む画像に広告を付加する広告付加装置、広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法並びに広告付き画像に関する。
【背景技術】
【０００２】
従来、画面内に広告を埋め込む場合には画面外部の側脇に広告を配置する場合よりプリント料を安くすることが開示されている（特許文献１）。
【０００３】
【特許文献１】特許登録３６３２８３３号
【発明の開示】
【発明が解決しようとする課題】
【０００４】
上述の特許文献１では、画面内に広告を埋め込む場合には画面外部の側脇に広告を配置する場合よりプリント料を安くすることが開示されている。すなわち、写真と切り離しができない広告に対して広告主がプリント代を負担することを開示しているが、どのような広告のときには画面内にどのような広告を画面内に埋め込むか画面外部の側脇に配置するのかは開示されていない。また、広告が長くなり目立ちすぎると画像としての価値がなくなる。
【０００５】
本発明は、このような従来の構成が有していた問題を解決しようとするものであり、前記広告が企業名・団体名又は商標名又は商品名又は愛称などデザイン文字を用いて図案化したロゴマーク又はＣＩマークである画像データあるいは、前記画像データ以外の画像データやメッセージ等のテキストデータとからなり、前記広告が前記画像データのみである場合は、画像の中に前記広告が挿入され、前記広告が前記画像データ以外の画像データやテキストデータである場合は、前記広告を前記画像の外に置くように制御手段により制御された広告付写真画像である。ロゴマークのみの場合であれば画像の中に挿入されるので広告が目立ち、広告主にとっても効果があり、また広告主にとってロゴマーク又はＣＩマークは画像データやテキストデータと不可分であるので画像の外に配置され、広告主にとってはデザイン性の高い広告となる。
【課題を解決するための手段】
【０００６】
本発明は、撮影者によって撮影された写真を含む画像に、広告を付加する広告付加装置で前記広告が企業名・団体名又は商標名又は商品名または愛称などデザイン文字を用いて図案化したロゴマーク又はＣＩマークのみである画像データである状態を第１の状態とし、前記画像データを含むその他の画像及びテキストテキストデータである状態を第２の状態とし、前記画像データを含まない画像及びテキストデータである状態を第３の状態とし、前記広告が前記第１の状態であると判別した場合は、前記画像の中に前記広告を挿入するように制御し、前記広告が前記第２の状態及び前記第３の状態であると判別した場合は前記画像の外に前記広告を配置するように制御する制御手段を備えた広告付加装置を提供することにある。
【０００７】
本発明は、撮影者によって撮影された写真を含む画像に、広告を付加する広告付加方法で、前記広告が企業名・団体名又は商標名又は商品名または愛称などデザイン文字を用いて図案化したロゴマーク又はＣＩマークのみである画像データである状態を第１の状態とし、前記画像データを含むその他の画像及びテキストデータである状態を第２の状態とし、前記画像データを含まない画像及びテキストデータである状態を第３の状態からなる広告を付加する広告付加方法で、前記広告が前記第１の状態であるか、前記第２の状態であるか、前記第３の状態であるかを判別するステップと、前記広告が前記第１の状態であると判別した場合は前記広告を画像の中に挿入するステップと、前記広告が前記第２の状態及び前記第３の状態であると判別した場合は前記広告を前記画像の外に配置するステップと、を有する広告を画像に付加する広告付加方法を提供することにある。
【０００８】
本発明は、撮影者によって撮影された写真を含む画像に広告が付加される広告付き画像で、前記広告が企業名・団体名又は商標名又は商品名または愛称などデザイン文字を用いて図案化したロゴマーク又はＣＩマークのみである画像データである状態を第１の状態とし、前記画像データを含むその他の画像及びテキストデータである状態を第の２状態とし、前記画像データを含まない画像及びテキストデータである状態を第３の状態とし、前記広告が前記第１の状態である場合は、画像の中に前記広告が挿入され、前記広告が前記第２の状態及び前記第３の状態である場合は、前記広告を前記画像の外に配置する制御手段により制御された広告付写真を提供することにある。
【発明の効果】
【０００９】
上述したように本発明によりこのような従来の構成が有していた問題を解決しようとするものであり、画像と共に広告がインパクトのある企業ロゴあるいはＣＩマークを画像の中に埋め込むので広告も目立つことになるので広告主にとっても効果があり、写真としても企業ロゴあるいはＣＩマークであるのであまり邪魔のならない写真となり、また広告主にとってロゴマーク又はＣＩマークは画像データやテキストデータと不可分であるので画像の外に配置され、広告主にとってはデザイン性の高い広告となる。広告によりプリント代が一部負担され、広告主にとっても効果的な広告となる。
【発明を実施するための最良の形態】
【００１０】
図１は、本発明の広告付加装置の概略構成を示す。１は画像サーバ、２は広告サーバ、３は制御装置を示し、４は広告と画像を合成する合成システムを示し、５は合成システム４で合成された画像と広告とをプリントするプリントシステムを示す。
【００１１】
図２は制御装置３の内容を示すフローチャートである。広告コンテンツは、企業名・団体名又は商標名又は商品名または愛称などデザイン文字を用いて図案化したロゴマーク又はＣＩマークのみである画像データを第１状態とし、前記画像データを含むその他の画像及びテキストデータを第２状態とし、前記画像データを含まない画像及びテキストデータを第３状態としている。
広告サーバ２に貯えられた広告は、Ｓ１で示すように広告コンテンツは前記第１状態か、前記第２状態または前記第３状態かを判別し、ロゴマーク乃至はＣＩマークのみであると判断するとＳ２で示すように広告を画面内に、ロゴマーク乃至はＣＩマークとその他画像データであると判断するとＳ３で示すように画面外に配置し、ロゴマーク乃至はＣＩマークを含まない画像データ及びテキストデータであると判断するとＳ４で示すよう画面外に配置するように制御し、図１で示すように合成システム４で画像サーバ１からの画像とコンテンツサーバー２からのコンテンツを合成し、プリントシステム５でプリントを行う。
【００１２】
図３で実際に前記第１状態、前記第２状態、前記第３状態の図を示す。
【００１３】
本発明の請求範囲１〜３における写真を含む画像は、写真のように紙媒体等に画像を表示するもの、またディスプレイやモニタ等に電子的画像を表示する表示器を指すものである。
【００１４】
前記第２の状態、前記第３の状態において、広告は、写真の場合は裏面に配置してもよく、電子画面の場合においては、バナーボタンやリンクテキストの押下や所定の時間になって次の面に配置する等を行ってもよい。
【００１５】
本発明により、広告が第１状態の場合は画像の中に埋め込み、第２状態または第３状態の場合は画像の外に配置することにより、前記広告が前記画像データのようにコンパクトなデータは画像の中で目立つが煩雑にならなくて顧客、広告主にとって効果のある広告となる効果を有する。
【図面の簡単な説明】
【００１６】
【図１】本発明に係るブロック図を示す。
【図２】本発明に係るフローチャートを示す。
【図３】本発明に係る一実施例を示す。
【符号の説明】
【００１７】
１ …画像サーバ
２ …広告サーバ
３ …制御システム
４ …合成システム
５ …プリントシステム
【図１】
2008014978.tif 000003
【図２】
2008014978.tif 000004
【図３】
2008014978.tif 000005